(57)【要約】【課題】  従来の無駄に消費されていた発熱部品の熱を内容器を加熱するための補助加熱源として有効に利用し得るようにする。【解決手段】  水を収容する内容器３と、該内容器３を加熱する加熱源（電気ヒータ４）と、該加熱源（電気ヒータ４）への給電を制御する制御部品を付設してなる電源制御基板とを備えた電気貯湯容器において、前記制御部品のうちの発熱部品２８Ｂを、該発熱部品２８Ｂの熱が前記内容器３に伝わり得る位置に配置して補助加熱源として用いるようにしている。【選択図】        図１
2007307023.tif 000002
【特許請求の範囲】
【請求項１】
水を収容する内容器と、該内容器を加熱する加熱源と、該加熱源への給電を制御する制御部品を付設してなる電源制御基板とを備えた電気貯湯容器であって、前記制御部品のうちの発熱部品を、該発熱部品の熱が前記内容器に伝わり得る位置に配置して補助加熱源として用いたことを特徴とする電気貯湯容器。
【請求項２】
前記内容器と前記発熱部品との間には、所定寸法の空隙部を設けたことを特徴とする請求項１記載の電気貯湯容器。
【請求項３】
前記発熱部品を、通電中常時駆動して電源電圧をドロップさせるドロップ抵抗器としたことを特徴とする請求項１およびのいずれか一項記載の電気貯湯容器。
【発明の詳細な説明】
【技術分野】
【０００１】
本願発明は、電気貯湯容器に関し、さらに詳しくは内容器を加熱するための加熱源以外の発熱部品（例えば、ドロップ抵抗器等）を補助加熱源として利用し得るように構成した電気貯湯容器に関するものである。
【背景技術】
【０００２】
従来からよく知られている電気貯湯容器は、水を収容する内容器と、該内容器を加熱する加熱源と、該加熱源への給電を制御する制御部品を付設してなる電源制御基板とを備えた構成とされている（特許文献１参照）。
【０００３】
【特許文献１】特許第３１８５１１７号公報。
【発明の開示】
【発明が解決しようとする課題】
【０００４】
上記特許文献１に開示されている電気貯湯容器の場合、加熱源への給電を制御する制御部品を付設してなる電源制御基板には、通電中において発熱する部品（例えば、マイコンを動作させるための電源をつくる部品）が付設されている。この発熱部品は、１００Ｖから５Ｖ近くまで電圧を落とす為に用いられるドロップ抵抗器であり、発熱させてエネルギーを消費させている。このドロップ抵抗器の場合、自然放熱が主流であり、基板上に配置されており、熱は無駄に消費されていた。実際には、抵抗器の発熱が原因となって基板が焦げたり、基板を収容しているボックス内の温度上昇を対策する必要が生じたりしていた。
【０００５】
本願発明は、上記の点に鑑みてなされたもので、従来の無駄に消費されていた発熱部品の熱を内容器を加熱するための補助加熱源として有効に利用し得るようにすることを目的としている。
【課題を解決するための手段】
【０００６】
本願発明では、上記課題を解決するための第１の手段として、水を収容する内容器と、該内容器を加熱する加熱源と、該加熱源への給電を制御する制御部品を付設してなる電源制御基板とを備えた電気貯湯容器において、前記制御部品のうちの発熱部品を、該発熱部品の熱が前記内容器に伝わり得る位置に配置して補助加熱源として用いている。
【０００７】
上記のように構成したことにより、加熱源への給電を制御する制御部品のうちの発熱部品から発生する熱が内容器に伝わることとなり、発熱部品が補助加熱源として作用することとなる。その結果、従来無駄に消費されていた発熱部品から発生する熱を内容器を加熱する補助加熱源として有効に利用することができる。
【０００８】
本願発明では、さらに、上記課題を解決するための第２の手段として、上記第１の手段を備えた電気貯湯容器において、前記内容器と前記発熱部品との間に、所定寸法の空隙部を設けることもでき、そのように構成した場合、発熱部品において発生する熱が他の制御部品に悪影響を及ぼすことがなくなる。
【０００９】
本願発明では、さらに、上記課題を解決するための第３の手段として、上記第１又は第２の手段を備えた電気貯湯容器において、前記発熱部品を、通電中常時駆動して電源電圧をドロップさせるドロップ抵抗器とすることもでき、そのように構成した場合、通電中常時駆動しているドロップ抵抗器から発生する熱を補助加熱源として有効に利用することができることとなり、省エネに大いに寄与する。
【発明の効果】
【００１０】
本願発明の第１の手段によれば、水を収容する内容器と、該内容器を加熱する加熱源と、該加熱源への給電を制御する制御部品を付設してなる電源制御基板とを備えた電気貯湯容器において、前記制御部品のうちの発熱部品を、該発熱部品の熱が前記内容器に伝わり得る位置に配置して補助加熱源として用いるようにしたので、従来無駄に消費されていた発熱部品から発生する熱を内容器を加熱する補助加熱源として有効に利用することができるという効果がある。
【００１１】
本願発明の第２の手段におけるように、上記第１の手段を備えた電気貯湯容器において、前記内容器と前記発熱部品との間に、所定寸法の空隙部を設けることもでき、そのように構成した場合、発熱部品において発生する熱が他の制御部品に悪影響を及ぼすことがなくなる。
【００１２】
本願発明の第３の手段におけるように、上記第１又は第２の手段を備えた電気貯湯容器において、前記発熱部品を、通電中常時駆動して電源電圧をドロップさせるドロップ抵抗器とすることもでき、そのように構成した場合、通電中常時駆動しているドロップ抵抗器から発生する熱を補助加熱源として有効に利用することができることとなり、省エネに大いに寄与する。
【発明を実施するための最良の形態】
【００１３】
以下、添付の図面を参照して、本願発明の幾つかの好適な実施の形態について説明する。
【００１４】
第１の実施の形態
図１ないし図３には、本願発明の第１の実施の形態にかかる電気貯湯容器が示されている。
【００１５】
この電気貯湯容器は、図１に示すように、湯沸かし用の内容器３を具備した容器本体１と、該容器本体１の上部開口を開閉する蓋体２と、前記内容器３の底部を加熱する加熱手段である電気ヒータ４（即ち、湯沸かしヒータ４Ａおよび保温ヒータ４Ｂ）と、前記内容器３内のお湯を外部へ給湯するための給湯通路５とを備えて構成されている。
【００１６】
前記容器本体１は、外側面を構成する合成樹脂製の外ケース６と、内周面を構成するステンレス製の有底円筒形状の内容器３と、前記外ケース６の上部と内容器３の上部とを結合する合成樹脂製の環状の肩部材７と、底面を構成する合成樹脂製の底部材８とからなっている。
【００１７】
前記内容器３の底部には、円形の凸部９が形成されており、該凸部９の下面には、前記電気ヒータ４（例えば、雲母板に発熱体を保持させてなるマイカヒータ）が取り付けられている。符号１０は内容器３の温度（換言すれば、湯温）検出する温度センサーである。
【００１８】
前記蓋体２は、合成樹脂製の上板１１と該上板１１に対して外周縁が嵌め合いにより結合された合成樹脂製の下板１２とからなっており、前記肩部材７の後部に設けられたヒンジ受け１３に対してヒンジピン１４を介して開閉且つ着脱自在に支持されている。符号１５は蒸気排出通路、１６は蒸気排出通路１５の途中に配設された転倒止水弁である。
【００１９】
前記蓋体２における下板１２には、金属製のカバー部材１７が固定されており、該カバー部材１７の外周縁には、蓋体２の閉蓋時において前記内容器３の上部開口縁に圧接されるシールパッキン１８が設けられている。
【００２０】
前記給湯通路５の途中であって満水位表示部１９より上方位置には、前傾時止水弁２０および転倒時止水弁２１が設けられている。
【００２１】
図１において、符号２２は蓋体２を容器本体１に対して閉止状態に保持するためのロック機構、２３は各種スイッチ類を備えた操作パネル部である。
【００２２】
そして、上記容器本体１の内底部（即ち、内容器３の下方空間）には、前記加熱源（即ち、電気ヒータ４）への給電を制御する制御部品を付設してなる電源制御基板２４を内蔵した基板ボックス２５が配設されている。
【００２３】
前記基板ボックス２５は、下方が開放されたボックス本体２５ａと、該ボックス本体２５ａの下端開口を覆蓋するカバー２５ｂとからなっており、前記電源制御基板２４は、前記ボックス本体２５ａの内上端部に対して制御部品を下面に配設した状態で取り付けられている。符号２６は基板ボックス２５の上方に配設されて電気ヒータ４からの熱を遮断する遮熱カバー、２７は内容器３の下方に配設された押さえ板である。
【００２４】
ところで、前記電源制御基板２４には、前記制御部品が付設されることとなっているが、本実施の形態においては、発熱しないあるいは発熱するが熱影響を受け易い制御部品２８Ａ，２８Ａ・・は、電源制御基板２４の下面に取り付けられるとともに、発熱する部品２８Ｂは、前記基板ボックス２５におけるボックス本体２５ａの上面、遮熱カバー２６および遮熱板２７に形成された貫通穴２９，３０，３１から引き出されるリード線３２を介して該発熱部品２８Ｂの熱が前記内容器３に伝わり得る位置に配置されている。つまり、該発熱部品２８Ｂが補助加熱源として作用することとなっているのである。この発熱部品２８Ｂは、通電中常時駆動して電源電圧をドロップさせるドロップ抵抗器とされている。このようにすると、通電中常時駆動しているドロップ抵抗器２８Ｂから発生する熱を補助加熱源として有効に利用することができることとなり、省エネに大いに寄与する。なお、本実施の形態の場合、図２に示すように、発熱部品２８Ｂは、内容器３の底部における凸部９の外周側に形成される環状部３３の下面に接して配設されている。このようにすると、発熱部品２８Ｂが電気ヒータ４の熱の影響を受けにくくなるとともに、発熱部品２８Ｂにおいて生ずる熱を内容器３に良好に伝達させることができる。発熱部品２８Ｂと内容器３との間に所定寸法の空隙を設けてもよい。
【００２５】
図３は、本実施の形態にかかる電気貯湯容器における電気的要素の結線状態を示すブロック図である。なお、既に説明した電気的要素については同一の符号を付して説明を省略する。
【００２６】
図３において、符号３４は交流電源、３５は温度ヒューズ、３６，３７，３８はターミナル、３９はリレーである。発熱部品である電圧ドロップ抵抗器２８Ｂは、湯沸かしヒータ４Ａ，保温ヒータ４Ｂと並列に接続されており、交流電源３４（電圧＝１００Ｖ）をマイコン基板４０へ供給される電圧（＝５Ｖ）にドロップさせる作用をなす。なお、補助加熱源として作用する発熱部品２８Ｂは、温度センサー１０による温度制御は行われないことは勿論である。
第２の実施の形態
図４および図５には、本願発明の第２の実施の形態にかかる電気貯湯容器が示されている。
【００２７】
この場合、基板ボックス２５は、容器本体１における前部（即ち、嘴部１ａの下方）に縦配置されており、図５に示すように、発熱部品２８Ｂは、内容器３の側面に接して配設されている。このようにすると、発熱部品２８Ｂが電気ヒータ４の熱の影響を受けにくくなるとともに、発熱部品２８Ｂにおいて生ずる熱を内容器３に良好に伝達させることができる。発熱部品２８Ｂと内容器３との間に所定寸法の空隙を設けてもよい。
【００２８】
その他の構成および作用効果は、第１の実施の形態におけると同様なので説明を省略する。
【００２９】
第３の実施の形態
図６には、本願発明の第３の実施の形態にかかる電気貯湯容器における内容器が示されている。
【００３０】
この場合、発熱部品である電圧ドロップ用抵抗器２８Ｂを、保温ヒータのように、内容器３の側面に巻き付けた形状としている。このようにすると、発熱部品２８Ｂを設置する場所も邪魔にならず、発熱も無駄にならない。
【００３１】
その他の構成および作用効果は、第１の実施の形態におけると同様なので説明を省略する。
【００３２】
上記各実施の形態とは別に、電気ヒータ４を構成するマイカヒータに発熱部品である電圧ドロップ用抵抗器２８Ｂを発熱線として配線することも考えられる。
【００３３】
本願発明は、上記各実施の形態に限定されるものではなく、発明の要旨を逸脱しない範囲において適宜設計変更可能なことは勿論である。
【図面の簡単な説明】
【００３４】
【図１】本願発明の第１の実施の形態にかかる電気貯湯容器の縦断面図である。
【図２】図１のＡ部拡大図である。
【図３】本願発明の第１の実施の形態にかかる電気貯湯容器における電気的要素の結線状態を示すブロック図である。
【図４】本願発明の第２の実施の形態にかかる電気貯湯容器を底から見た底面図である。
【図５】本願発明の第２の実施の形態にかかる電気貯湯容器における要部拡大断面図である。
【図６】本願発明の第３の実施の形態にかかる電気貯湯容器における内容器の側面図である。
【符号の説明】
【００３５】
１は容器本体
２は蓋体
３は内容器
４は加熱源（電気ヒータ）
２４は電源制御基板
２５は基板ボックス
２８Ａは制御部品
２８Ｂは発熱部品（電圧ドロップ用抵抗器）
【図１】
2007307023.tif 000003
【図２】
2007307023.tif 000004
【図３】
2007307023.tif 000005
【図４】
2007307023.tif 000006
【図５】
2007307023.tif 000007
【図６】
2007307023.tif 000008
【手続補正書】
【提出日】平成18年5月25日(2006.5.25)
【手続補正１】
【補正対象書類名】特許請求の範囲
【補正対象項目名】全文
【補正方法】変更
【補正の内容】
【特許請求の範囲】
【請求項１】
水を収容する内容器と、該内容器を加熱する加熱源と、該加熱源への給電を制御する制御部品を付設してなる電源制御基板とを備えた電気貯湯容器であって、前記制御部品のうちの発熱部品を、該発熱部品の熱が前記内容器に伝わり得る位置に配置して補助加熱源として用いたことを特徴とする電気貯湯容器。
【請求項２】
前記内容器と前記発熱部品との間には、所定寸法の空隙部を設けたことを特徴とする請求項１記載の電気貯湯容器。
【請求項３】
前記発熱部品を、通電中常時駆動して電源電圧をドロップさせるドロップ抵抗器としたことを特徴とする請求項１および２のいずれか一項記載の電気貯湯容器。